【事件の表示】
　特願２０１５−２０８９０５「Ｘ線診断装置」拒絶査定不服審判事件〔平成２９年　５月１８日出願公開、特開２０１７−　７９８５８、請求項の数（１１）〕について、次のとおり審決する。
【結　論】
　原査定を取り消す。
　本願の発明は、特許すべきものとする。
【理　由】
第１　手続の経緯
　本願は、平成２７年１０月２３日の出願であって、令和元年７月３日付けで拒絶理由が通知され、同年９月９日付けで意見書及び手続補正書が提出され、同年１２月１１日付けで拒絶査定（以下「原査定」という。）されたところ、令和２年３月１６日に拒絶査定不服審判の請求がなされたものである。その後当審において同年９月３０日付けで拒絶理由が通知され、同年１２月７日付けで意見書及び手続補正書が提出されたものである。
第２　原査定の概要
　原査定の概要は次のとおりである。
　本願請求項１〜１１に係る発明は、以下の引用文献Ａ〜Ｈに基づいて、その発明の属する技術の分野における通常の知識を有する者（以下、「当業者」という。）が容易に発明できたものであるから、特許法第２９条第２項の規定により特許を受けることができない。
引用文献等一覧
Ａ.特開昭５４−１２３８９１号公報
Ｂ.特開平７−２９５３２号公報（周知技術を示す文献）
Ｃ.特開２００４−１３９７９０号公報（周知技術を示す文献）
Ｄ.特開平７−２４０２９６号公報（周知技術を示す文献）
Ｅ.特開２０１５−１７１４８０号公報（周知技術を示す文献）
Ｆ.特開２０１１−１１５３６９号公報（周知技術を示す文献）
Ｇ.特開２００８−７７８８３号公報（周知技術を示す文献）
Ｈ.特開２００６−１２０５４４号公報（周知技術を示す文献）
第３　当審拒絶理由の概要
　 当審拒絶理由の概要は次のとおりである。
　本願請求項１〜３及び５〜１１に係る発明は、以下の引用文献１〜６に基づいて、当業者が容易に発明できたものであるから、特許法第２９条第２項の規定により特許を受けることができない。
引用文献１：特開２００４−１３９７９０号公報（原査定の引用文献Ｃ）
引用文献２：特開平７−２９５３２号公報（原査定の引用文献Ｂ）
引用文献３：特開平７−２４０２９６号公報（原査定の引用文献Ｄ）
引用文献４：特開２０１５−１７１４８０号公報（原査定の引用文献Ｅ）
引用文献５：特開２００８−７７８８３号公報（原査定の引用文献Ｇ）
引用文献６：特開２００６−１２０５４４号公報（原査定の引用文献Ｈ）
第４　本願発明
　本願請求項１〜１１に係る発明（以下、それぞれ「本願発明１」〜「本願発明１１」という。）は、令和２年１２月７日付けの手続補正で補正された特許請求の範囲の請求項１〜１１に記載された事項により特定される発明であり、以下のとおりの発明である。
「　　【請求項１】
　電子を放出するフィラメントと、前記電子を受けることによりＸ線を発生させるターゲットと、前記フィラメントの周囲の電位勾配を調整するための電位を有するグリッドとを有するＸ線管装置と、
　前記グリッドの電位を、前記フィラメントの周囲の電位勾配が前記フィラメント
と
　前記フィラメントと前記ターゲットとの間に流れている管電流を検出する管電流検出部と、
　前記フィラメントを流れるフィラメント電流を制御するフィラメント電流制御部と
　を備え、
　前記フィラメント電流制御部は、目標管電流の切り替えに伴って、前記フィラメント電流の設定値を前記目標管電流に対応する値に変更し、
　前記グリッド電位制御部は、前記目標管電流の切り替えに伴って、前記グリッドの電位を、前記フィラメントの周囲の電位勾配が前記フィラメント
と
　　【請求項２】
　前記グリッド電位制御部は、パルス透視が行われる場合、前記パルス透視のフレームレートより短い周期で前記制御を行う、請求項１に記載のＸ線診断装置。
　　【請求項３】
　前記グリッド電位制御部は、パルス透視が行われる場合、前記パルス透視のフレームごとに前記制御を行う、請求項１に記載のＸ線診断装置。
　　【請求項４】
　前記フィラメント電流制御部から送信された信号に基づいて前記フィラメントを流れる電流を制御するフィラメントトランスと、
　前記管電流検出部が検出した管電流の値を受け取り、前記値に基づいて前記グリッド電位制御部を制御する制御部と、
　を更に備え、
　前記管電流検出部及び前記フィラメントトランスは、前記Ｘ線管装置内に設けられ、前記値は、前記管電流検出部が検出した管電流が流れる経路と異なる経路を経由して前記管電流検出部から前記制御部へ送信される、請求項１から請求項３のいずれか一つに記載のＸ線診断装置。
　　【請求項５】
　前記グリッド電位制御部は、撮影条件に応じた目標管電流と前記グリッドの電位との関係に基づいて前記グリッドの電位を切り替える、請求項１から請求項４のいずれか一つに記載のＸ線診断装置。
　　【請求項６】
　前記関係は、実測により求められている、請求項５に記載のＸ線診断装置。
　　【請求項７】
　前記関係は、シミュレーションにより求められている、請求項５に記載のＸ線診断装置。
　　【請求項８】
　前記関係は、前記フィラメントの太さに応じて更新される、請求項５から請求項７のいずれか一つに記載のＸ線診断装置。
　　【請求項９】
　前記関係は、定期的に更新される、請求項５から請求項７のいずれか一つに記載のＸ線診断装置。
　　【請求項１０】
　前記フィラメントを流れる電流を測定するフィラメント電流測定部を更に備え、
　前記グリッド電位制御部は、前記関係及び前記フィラメント電流測定部が測定した電流に基づいて前記グリッドの電位を切り替える、請求項５から請求項９のいずれか一つに記載のＸ線診断装置。
　　【請求項１１】
　前記フィラメントの温度を測定するフィラメント温度測定部を更に備え、
　前記グリッド電位制御部は、前記関係及び前記フィラメント温度測定部が測定した温度に基づいて前記グリッドの電位を切り替える、請求項５から請求項９のいずれか一つに記載のＸ線診断装置。」
第５　引用文献、引用発明等
１　引用文献１について
ア　引用文献１に記載された事項
　令和２年９月３０日付けの拒絶の理由に引用された引用文献１には、図面とともに次の事項が記載されている。（下線は、当審にて付した。以下同様。）
（引１ａ）「【０００２】
【従来の技術】
Ｘ線管装置では、陰極フィラメントに電流を流して加熱し、それにより放出された熱電子を高電圧により陽極のターゲットに衝突させることによりＸ線を発生させる。陰極から陽極への電子ビームにより流れる管電流の制御は、陰極フィラメントに流す電流を増減することにより行われるのが一般的である。
（引１ｂ）「【０００９】
Ｘ線診断装置について簡単に説明すると、
Ｘ線診断装置では、Ｘ線管装置
が、フラットパネル又はイメージインテンシファイアとＴＶカメラとの組み合わせで構成さ
【００１０】
図１は本実施形態に係るＸ線管装置の主要部の構成を示す図である。
Ｘ線管装置は、グリッド制御Ｘ線管１０とＸ線高電圧装置２０と制御装置３０とから構成され
Ｘ線管１０は、内部が高真空に保持されているガラスバルブ１１を有する
ガラスバルブ１１には、
陽極１２と、陰極とが収容され
陰極は、フィラメント１３
から構成され
陰極と陽極１１との間には、グリッド１４が配置され
【００１１】
Ｘ線高電圧装置２０は、陽極１２と陰極との間に高電圧を印加するための高電圧電源２１と、高電圧電源２１の出力を制御する高電圧制御回路２２と、フィラメント１３にフィラメント制御電流を供給するフィラメント加熱電源２３と、陰極１３に対してグリッド１４に負のバイアス電圧（グリッド制御電圧）を印加するグリッド制御用電源２４と、フィラメント加熱電源２３とグリッド制御用電源２４を制御する陰極制御回路２５とを有す
【００１２】
制御装置３０は、Ｘ線制御回路３１を有す
Ｘ線制御回路３１は、管電圧制御信号を高電圧制御回路２２に供給す
フィラメント電流制御信号に応じたフィラメント制御電流がフィラメント加熱電源２３から発生さ
グリッド制御用電源２４は、グリッド電圧を、グリッド電圧制御信号に応じた電圧だけ、陰極電位から低下す
陰極電位に対するグリッド電位を調整することにより、電子の放出を制御することができ
陰極から陽極１２への電子の放出が許可され
範囲を能動領域
（引１ｃ）「【００２１】
なお、図３に示すように、トリガ時に、プレフラッシュ制御をかけるが、グリッド電圧制御はかけない場合であっても、これらを共にかけないよりも、管電流の設定値までの立ち上がり時間は短縮される。従って、Ｘ線制御回路３１としては、プレフラッシュ制御とグリッド電圧制御とを共にかけるモードだけでなく、プレフラッシュ制御をかけ、グリッド電圧制御はかけないモードを装備して、選択的に使用可能とするようにしても良い。
【００２２】
次に、
透視期間中、自動輝度制御機能により、管電流の値が変動され
管電流の変動のために、フィラメント電流制御信号は、Ｘ線制御回路３１により、管電流の初期設定値Ｉ１１に対応するフィラメント電流値Ｉ２１に対応する値から、変動された管電流の値Ｉ１２に対応するフィラメント電流値Ｉ２２に対応する値に変位され
フィラメント電流は、初期設定値Ｉ１１に対応するフィラメント電流値Ｉ２１から、変動された管電流の値Ｉ１２に対応するフィラメント電流値Ｉ２２に変化す
【００２３】
この遅延時間を短縮するために、
フィラメント電流制御とともに、グリッド電圧の変位がフィラメント電流の変位に併用され
管電流をＩ１２からＩ１３に上げるとき、グリッド電圧制御信号は、Ｘ線制御回路３１により、能動領域内において、値Ｖ１２から、電子放出率の高いＶ１３に高位に変化され
【００２４】
また、
透視期間中に、管電流を上昇させるときには、
フィラメント電流制御信号は、Ｘ線制御回路３１により、管電流上昇時から極短い所定時間の間、管電流の輝度制御値Ｉ１３に対応するフィラメント電流値Ｉ２３よりも所定値ΔＩだけ高いプレフラッシュ電流値ＩＰ２に対応する値に急峻に上昇され
【００２５】
このようにトリガ時及び透視期間中に、プレフラッシュ制御とグリッド電圧制御を併用することにより、管電流の即応性を向上させることができる。」
（引１ｄ）「【００２６】
なお、図４に示すように、
透視期間中に、輝度制御のための管電流制御は、フィラメント電流を、透視時の最大管電流に対応する一定値に維持し、グリッド電圧制御単独で実現するようにしても良い
【００２７】
また、
透視トリガ時のプレフラッシュ制御に代えて、
フィラメント電流を透視の最大管電流に対応する一定値に維持するとともに、グリッド電圧をカットオフ領域内の電圧に維持して、電子放出を阻止し、透視トリガとともに、グリッド電圧をカットオフ領域内の電圧から能動領域内の電圧に急峻に上昇させるようにしても良い
透視トリガ時に透視像が安定するまでの時間を短縮
イ　引用文献１に記載された発明
（ア）上記（引１ｂ）及び（引１ｃ）より、引用文献１には以下の事項が記載されている。
「Ｘ線管装置が、フラットパネル又はイメージインテンシファイアとＴＶカメラとの組み合わせで構成されたＸ線診断装置において、
　Ｘ線管装置は、グリッド制御Ｘ線管１０とＸ線高電圧装置２０と制御装置３０とから構成され、
　Ｘ線管１０は、内部が高真空に保持されているガラスバルブ１１を有し、
　ガラスバルブ１１には、陽極１２と、陰極とが収容され、
　陰極は、フィラメント１３から構成され、
　陰極と陽極１１との間には、グリッド１４が配置され、
　Ｘ線高電圧装置２０は、陽極１２と陰極との間に高電圧を印加するための高電圧電源２１と、高電圧電源２１の出力を制御する高電圧制御回路２２と、フィラメント１３にフィラメント制御電流を供給するフィラメント加熱電源２３と、陰極１３に対してグリッド１４に負のバイアス電圧（グリッド制御電圧）を印加するグリッド制御用電源２４と、フィラメント加熱電源２３とグリッド制御用電源２４を制御する陰極制御回路２５とを有し、
　制御装置３０は、Ｘ線制御回路３１を有し、
　Ｘ線制御回路３１は、管電圧制御信号を高電圧制御回路２２に供給し、
　フィラメント電流制御信号に応じたフィラメント制御電流がフィラメント加熱電源２３から発生され、
　グリッド制御用電源２４は、グリッド電圧を、グリッド電圧制御信号に応じた電圧だけ、陰極電位から低下させ、
　陰極電位に対するグリッド電位を調整することにより、電子の放出を制御することができ、
　透視期間中、自動輝度制御機能により、管電流の値が変動され、
　管電流の変動のために、フィラメント電流制御信号は、Ｘ線制御回路３１により、管電流の初期設定値Ｉ１１に対応するフィラメント電流値Ｉ２１に対応する値から、変動された管電流の値Ｉ１２に対応するフィラメント電流値Ｉ２２に対応する値に変位され、
　フィラメント電流は、初期設定値Ｉ１１に対応するフィラメント電流値Ｉ２１から、変動された管電流の値Ｉ１２に対応するフィラメント電流値Ｉ２２に変化し、
　フィラメント電流制御とともに、グリッド電圧の変位がフィラメント電流の変位に併用され、
　管電流をＩ１２からＩ１３に上げるとき、グリッド電圧制御信号は、Ｘ線制御回路３１により、陰極から陽極１２への電子の放出が許可される範囲である能動領域内において、値Ｖ１２から、電子放出率の高いＶ１３に高位に変化され、
　透視期間中に、管電流を上昇させるときには、フィラメント電流制御信号は、Ｘ線制御回路３１により、管電流上昇時から極短い所定時間の間、管電流の輝度制御値Ｉ１３に対応するフィラメント電流値Ｉ２３よりも所定値ΔＩだけ高いプレフラッシュ電流値ＩＰ２に対応する値に急峻に上昇される
Ｘ線診断装置。」
（イ）上記（引１ａ）より、「Ｘ線管装置では、陰極フィラメントに電流を流して加熱し、それにより放出された熱電子を高電圧により陽極のターゲットに衝突させることによりＸ線を発生させる。陰極から陽極への電子ビームにより流れる管電流の制御は、陰極フィラメントに流す電流を増減することにより行われるのが一般的である」ことが記載されている。
（ウ）上記（引１ｄ）より、引用文献１には「透視期間中に、輝度制御のための管電流制御は、フィラメント電流を、透視時の最大管電流に対応する一定値に維持し、グリッド電圧制御単独で実現するようにしても良い」旨記載され、また、「透視トリガ時のプレフラッシュ制御に代えて」、「フィラメント電流を透視の最大管電流に対応する一定値に維持するとともに、グリッド電圧をカットオフ領域内の電圧に維持して、電子放出を阻止し、透視トリガとともに、グリッド電圧をカットオフ領域内の電圧から能動領域内の電圧に急峻に上昇させるようにしても良い」旨記載され、これらのことによっても「透視トリガ時に透視像が安定するまでの時間を短縮できる」旨記載されていることから、引用文献１には、上記ａにおける事項において、「透視期間中に、管電流を上昇させるとき」の、「フィラメント電流制御信号」を、「所定値ΔＩだけ高いプレフラッシュ電流値ＩＰ２」ではなく「管電流の輝度制御値Ｉ１３に対応するフィラメント電流値Ｉ２３」に上昇させ、グリッド電圧制御単独で能動領域内の電圧に急峻に上昇させる構成も記載されているといえる。
（エ）上記（イ）及び（ウ）を踏まえると、上記（ア）より、引用文献１には以下の発明（以下「引用発明」という。）が記載されている。
「Ｘ線管装置が、フラットパネル又はイメージインテンシファイアとＴＶカメラとの組み合わせで構成されたＸ線診断装置において、
　Ｘ線管装置は、グリッド制御Ｘ線管１０とＸ線高電圧装置２０と制御装置３０とから構成され、
　Ｘ線管１０は、内部が高真空に保持されているガラスバルブ１１を有し、
　ガラスバルブ１１には、陽極１２と、陰極とが収容され、
　陽極１２は、熱電子を衝突させることによりＸ線を発生させるターゲットを含み、
　陰極は、熱電子を放出するフィラメント１３から構成され、
　陰極と陽極１１との間には、グリッド１４が配置され、
　Ｘ線高電圧装置２０は、陽極１２と陰極との間に高電圧を印加するための高電圧電源２１と、高電圧電源２１の出力を制御する高電圧制御回路２２と、フィラメント１３にフィラメント制御電流を供給するフィラメント加熱電源２３と、陰極１３に対してグリッド１４に負のバイアス電圧（グリッド制御電圧）を印加するグリッド制御用電源２４と、フィラメント加熱電源２３とグリッド制御用電源２４を制御する陰極制御回路２５とを有し、
　制御装置３０は、Ｘ線制御回路３１を有し、
　Ｘ線制御回路３１は、管電圧制御信号を高電圧制御回路２２に供給し、
　フィラメント電流制御信号に応じたフィラメント制御電流がフィラメント加熱電源２３から発生され、
　グリッド制御用電源２４は、グリッド電圧を、グリッド電圧制御信号に応じた電圧だけ、陰極電位から低下させ、
　陰極電位に対するグリッド電位を調整することにより、電子の放出を制御することができ、
　透視期間中、自動輝度制御機能により、管電流の値が変動され、
　管電流の変動のために、フィラメント電流制御信号は、Ｘ線制御回路３１により、管電流の初期設定値Ｉ１１に対応するフィラメント電流値Ｉ２１に対応する値から、変動された管電流の値Ｉ１２に対応するフィラメント電流値Ｉ２２に対応する値に変位され、
　フィラメント電流は、初期設定値Ｉ１１に対応するフィラメント電流値Ｉ２１から、変動された管電流の値Ｉ１２に対応するフィラメント電流値Ｉ２２に変化し、
　フィラメント電流制御とともに、グリッド電圧の変位がフィラメント電流の変位に併用され、
　管電流をＩ１２からＩ１３に上げるとき、
　フィラメント電流制御信号は、Ｘ線制御回路３１により、管電流の輝度制御値Ｉ１３に対応するフィラメント電流値Ｉ２３に対応する値に上昇され、
　グリッド電圧制御信号は、Ｘ線制御回路３１により、陰極から陽極１２への電子の放出が許可される範囲である能動領域内において、値Ｖ１２から、電子放出率の高い電圧に急峻に上昇させる
Ｘ線診断装置。」
２　引用文献２について
ア　引用文献２に記載された事項
　引用文献２には、以下の事項が記載されている。
（引２ａ）「【００３７】図１３は、本実施例に係る
Ｘ線装置
は、マイクロフォーカスＸ線管１０を動作させる動作ブロック部１００と、動作ブロック部１００を制御する制御ブロック部２００とに分かれ
【００３８】
動作ブロック部１００は、マイクロフォーカスＸ線管１０のターゲット電圧を制御するターゲット制御部１１０と、ターゲット１６ａの過電流を検出するターゲット過電流検出部１２０と、マイクロフォーカスＸ線管１０のグリッド電圧を制御するグリッド制御部１３０とを備え
（引２ｂ）「【００４０】図１４は、
動作ブロック部１００の
ターゲット制御部１１０は、電圧設定Ｄ／Ａコンバータ２１０からターゲット電圧設定電圧が与えられてターゲット電圧を制御するターゲット電圧制御部１１１と、ターゲット電圧制御部１１１の指示を受けて所望のターゲット高電圧を発生させるターゲット高電圧発生部１１２とを備え
【００４１】
グリッド制御部１３０は、ターゲット電流を検出するターゲット電流検出部１３１と、ターゲット電流検出部１３１で検出したターゲット電流と電流設定Ｄ／Ａコンバータ２２０から出力された設定電流信号を比較するターゲット電流比較部１３２と、カットオフ電圧制御設定部１３３とを備え
ターゲット電流比較部１３２での比較結果に基づいてグリッド電圧を制御するグリッド電圧制御部１３４と、グリッド電圧制御部１３４の指示を受けて所望のグリッド電圧を発生させるグリッド電圧発生部１３５とを備え
（引２ｃ）「【００５３】したがって、
グリッド電圧は、カソード電圧に追従し、設定されたターゲット電流となるように制御されるバイアス電圧として動作する。
イ　引用文献２に記載された技術事項
　上記（引２ａ）及び（引２ｂ）より、引用文献２には以下の技術事項（以下「技術事項２」という。）が記載されている。
「Ｘ線装置は、マイクロフォーカスＸ線管１０を動作させる動作ブロック部１００と、動作ブロック部１００を制御する制御ブロック部２００とに分かれ、
　動作ブロック部１００は、マイクロフォーカスＸ線管１０のターゲット電圧を制御するターゲット制御部１１０と、ターゲット１６ａの過電流を検出するターゲット過電流検出部１２０と、マイクロフォーカスＸ線管１０のグリッド電圧を制御するグリッド制御部１３０とを備え、
　動作ブロック部１００のターゲット制御部１１０は、電圧設定Ｄ／Ａコンバータ２１０からターゲット電圧設定電圧が与えられてターゲット電圧を制御するターゲット電圧制御部１１１と、ターゲット電圧制御部１１１の指示を受けて所望のターゲット高電圧を発生させるターゲット高電圧発生部１１２とを備え、
　グリッド制御部１３０は、ターゲット電流を検出するターゲット電流検出部１３１と、ターゲット電流検出部１３１で検出したターゲット電流と電流設定Ｄ／Ａコンバータ２２０から出力された設定電流信号を比較するターゲット電流比較部１３２と、カットオフ電圧制御設定部１３３とを備え、
　ターゲット電流比較部１３２での比較結果に基づいてグリッド電圧を制御するグリッド電圧制御部１３４と、グリッド電圧制御部１３４の指示を受けて所望のグリッド電圧を発生させるグリッド電圧発生部１３５とを備えているＸ線装置。」
３　引用文献３について
　引用文献３には、以下の事項が記載されている。
（引３ａ）「【０００８】本発明の第３の目的は、３極Ｘ線管の格子に尖頭電圧が＋１０ｋｖ以下の正のパルス高電圧を印加し、該尖頭電圧を変化させることにより熱陰極の印加電圧を固定した場合でも管電流が調整でき、最大管電流が２Ａ程度、Ｘ線照射時間が１μｓ程度で、最大周波数が５００ｋＨｚ程度の繰返パルスＸ線を得ることである。」
４　引用文献４について
　引用文献４には、以下の事項が記載されている。
（引４ａ）「【００３２】
　通信部２３で照射許可信号が受信され、かつ照射開始指示信号が入力された場合、線源制御部２１は、電圧発生部２０を動作させてＸ線源１０によるＸ線の照射を開始させる。具体的には、
撮影条件で設定された管電圧をターゲットに印加させた後、撮影条件で設定された管電流に応じた電圧をグリッド電極に印加させる。
【００３３】
　また、照射開始指示信号が入力された場合、カセッテ制御部２２は、通信部２３を介して電子カセッテ１１にＸ線の照射が開始されたことを示す照射開始信号を送信させる。電子カセッテ１１は、照射開始信号を受信すると、蓄積動作を開始する。これにより、Ｘ線源１０によるＸ線の照射開始タイミングと電子カセッテ１１の蓄積動作の開始タイミングとの同期がとられる。
【００３４】
　線源制御部２１は、照射開始指示信号が入力されてＸ線の照射が開始されたときに計時を開始するタイマー２５を有する。タイマー２５で計時した時間が撮影条件で設定された照射時間となったとき、線源制御部２１は、電圧発生部２０を動作させてＸ線源１０によるＸ線の照射を停止させる。具体的には、グリッド電極に印加する電圧をウォームアップ時の印加電圧に切り替えさせ、続いてターゲットに対する電圧印加を停止させ、最後にフィラメントに対する電圧印加を停止させる。なお、線源制御部２１は、安全規制上、制御装置１２に設定されている最大照射時間となった場合も、タイマー２５で計時した時間が撮影条件で設定された照射時間となった場合と同様にＸ線の照射を停止させる。」
５　引用文献５について
ア　引用文献５に記載された事項
　引用文献５には、以下の事項が記載されている。
（引５ア）「【００１２】
本発明により正常な状態のフィラメントについてのフィラメント電流値とフィラメント電流をその値に調整する制御パラメータ値の関係をあらかじめＸ線高電圧装置内に記憶させておき、その後Ｘ線撮影または透視を行うためにフィラメントに電流を流すごとに、
フィラメント電流を制御するためにフィラメント電流制御部がフィラメント電流調整部に出力するパラメータ値に対して記憶しているフィラメント電流値と、実測されるフィラメント電流値が一致しているか否か
を検出
イ　引用文献５に記載された技術事項
　上記（引５ア）より、引用文献５には、以下の技術事項（以下「技術事項５」という。）が記載されている。
「フィラメント電流を制御するためにフィラメント電流制御部がフィラメント電流調整部に出力するパラメータ値に対して記憶しているフィラメント電流値と、実測されるフィラメント電流値が一致しているか否かを検出する技術。」
６　引用文献６について
ア　引用文献６に記載された事項
　引用文献６には以下の事項が記載されている。
（引６ア）「【００２１】
本発明によれば，
X線管のフィラメント温度を検出し、この検出した温度を目標のフィラメント温度に一致するように前記フィラメント加熱電力を制御する
イ　引用文献６に記載された技術事項
　上記（引６ア）より、引用文献６には以下の技術事項（以下「技術事項６」という。）が記載されている。
「X線管のフィラメント温度を検出し、この検出した温度を目標のフィラメント温度に一致するように前記フィラメント加熱電力を制御する技術。」
第６　対比・判断
１　本願発明１について
（１）対比
　本願発明１と引用発明とを比較する。
ア　引用発明の「Ｘ線診断装置」、「Ｘ線管装置」、「熱電子を放出するフィラメント１３」、「熱電子を衝突させることによりＸ線を発生させるターゲット」及び「グリッド１４」は、それぞれ、本願発明１の「Ｘ線診断装置」、「Ｘ線管装置」、「電子を放出するフィラメント」、「前記電子を受けることによりＸ線を発生させるターゲット」及び「グリッド」に相当する。そして、引用発明の「グリッド１４」は、「グリッド制御用電源２４」により「負のバイアス電圧（グリッド制御電圧）」が印加され、「陰極電位に対するグリッド電位を調整することにより、電子の放出を制御することができ」るものであって、「グリッド１４」に印可された「電子の放出を制御することができ」る「陰極電位に対するグリッド電位」は、「フィラメント１３」の周囲の電位勾配を調整するための電位であるといえるから、引用発明の「電子の放出を制御することができ」る「陰極電位に対するグリッド電位」が印可された「グリッド１４」は、本願発明１の「前記フィラメントの周囲の電位勾配を調整するための電位を有するグリッド」に相当する。
イ　引用発明の「グリッド制御用電源２４」は、「陰極１３に対してグリッド１４に負のバイアス電圧（グリッド制御電圧）を印加する」ものであって、「管電流をＩ１２からＩ１３に上げるとき」、「グリッド電圧制御信号は、Ｘ線制御回路３１により、陰極から陽極１２への電子の放出が許可される範囲である能動領域内において、値Ｖ１２から、電子放出率の高い電圧に急峻に上昇させる」ものであって、「値Ｖ１２から、電子放出率の高い電圧に急峻に上昇させ」た後の電位は、「陰極」の周囲の電位勾配が大きくなる電位であるから、引用発明の「陰極制御回路２５」の「管電流をＩ１２からＩ１３に上げるとき、グリッド電圧制御信号は、Ｘ線制御回路３１により、陰極から陽極１２への電子の放出が許可される範囲である能動領域内において、値Ｖ１２から、電子放出率の高い電圧に急峻に上昇させる」ように「グリッド制御用電源２４を制御する」構成と、本願発明１の「前記グリッドの電位を、前記フィラメントの周囲の電位勾配が前記フィラメントと前記ターゲットとの間の電位勾配が一定である場合における当該電位勾配よりも大きくなる電位に切り替えるグリッド電位制御部」とは、「前記グリッドの電位を、前記フィラメントの周囲の電位勾配が大きくなる電位に切り替えるグリッド電位制御部」である点で共通し、「陰極制御回路２５」を有する引用発明の「Ｘ線管装置」と本願発明１の「Ｘ線管装置」とは、「前記グリッドの電位を、前記フィラメントの周囲の電位勾配が大きくなる電位に切り替えるグリッド電位制御部」「を備え」ている点で共通する。
ウ　引用発明の「陰極制御回路２５」は、「フィラメント加熱電源２３とグリッド制御用電源２４を制御する」ものであって、「フィラメント加熱電源２３」は、「フィラメント１３にフィラメント制御電流を供給する」ものであるから、引用発明の「陰極制御回路２５」の「フィラメント１３にフィラメント制御電流を供給するフィラメント加熱電源２３」を「制御する」構成は、本願発明１の「前記フィラメントを流れるフィラメント電流を制御するフィラメント電流制御部」に相当する。
　そうすると、「陰極制御回路２５」を有する引用発明の「Ｘ線管装置」と本願発明１の「Ｘ線管装置」とは、「前記フィラメントを流れるフィラメント電流を制御するフィラメント電流制御部とを備え」ている点で一致する。
エ　引用発明の「透視期間中、自動輝度制御機能により、管電流の値が変動され」、「管電流をＩ１２からＩ１３に上げるとき、フィラメント電流制御信号は、Ｘ線制御回路３１により、管電流の輝度制御値Ｉ１３に対応するフィラメント電流値Ｉ２３に対応する値に上昇され」ることは、本願発明１の「前記フィラメント電流制御部は、目標管電流の切り替えに伴って、前記フィラメント電流の設定値を前記目標管電流に対応する値に変更」することに相当する。
オ　引用発明の「管電流をＩ１２からＩ１３に上げるとき」、「グリッド電圧制御信号は、Ｘ線制御回路３１により、陰極から陽極１２への電子の放出が許可される範囲である能動領域内において、値Ｖ１２から、電子放出率の高い電圧に急峻に上昇させる」ことと、本願発明１の「前記グリッド電位制御部は、前記目標管電流の切り替えに伴って、前記グリッドの電位を、前記フィラメントの周囲の電位勾配が前記フィラメントと前記ターゲットとの間の電位勾配が一定である場合における当該電位勾配よりも大きくなる電位に切り替え」ることとは、「前記グリッド電位制御部は、前記目標管電流の切り替えに伴って、前記グリッドの電位を、前記フィラメントの周囲の電位勾配が大きくなる電位に切り替え」ることで共通する。
カ　以上ア〜オより、本願発明１と引用発明との間には、以下の一致点及び相違点が有る。
（一致点）「電子を放出するフィラメントと、前記電子を受けることによりＸ線を発生させるターゲットと、前記フィラメントの周囲の電位勾配を調整するための電位を有するグリッドとを有するＸ線管装置と、
　前記グリッドの電位を、前記フィラメントの周囲の電位勾配が大きくなる電位に切り替えるグリッド電位制御部と、
　前記フィラメントを流れるフィラメント電流を制御するフィラメント電流制御部と
　を備え、
　前記フィラメント電流制御部は、目標管電流の切り替えに伴って、前記フィラメント電流の設定値を前記目標管電流に対応する値に変更し、
　前記グリッド電位制御部は、前記目標管電流の切り替えに伴って、前記グリッドの電位を、前記フィラメントの周囲の電位勾配が大きくなる電位に切り替える、Ｘ線診断装置」
（相違点）本願発明は、「前記フィラメントと前記ターゲットとの間に流れている管電流を検出する管電流検出部」を備え、「前記グリッド電位制御部」は、「前記フィラメントの周囲の電位勾配が前記フィラメントと前記ターゲットとの間の電位勾配が一定である場合における当該電位勾配よりも大きくなる電位に切り替える」ものであって、「前記目標管電流の切り替えに伴って、前記グリッドの電位を、前記フィラメントの周囲の電位勾配が前記フィラメントと前記ターゲットとの間の電位勾配が一定である場合における当該電位勾配よりも大きくなる電位に切り替えた後、前記管電流検出部が検出した管電流が前記目標管電流より大きくなった場合、前記グリッドの電位を低くし、前記管電流検出部が検出した管電流が目標管電流より小さくなった場合、前記グリッドの電位を高くする制御を行う」構成を有しているのに対し、引用発明は、「管電流をＩ１２からＩ１３に上げるとき」、「グリッド電圧制御信号は、Ｘ線制御回路３１により、陰極から陽極１２への電子の放出が許可される範囲である能動領域内において、値Ｖ１２から、電子放出率の高い電圧に急峻に上昇させる」構成は有しているものの、「フィラメント１３」と「ターゲット」との間に流れている管電流を検出する管電流検出部が特定されておらず、そして、「管電流をＩ１２からＩ１３に上げるとき」、「グリッド電圧制御信号は、Ｘ線制御回路３１により、陰極から陽極１２への電子の放出が許可される範囲である能動領域内において、値Ｖ１２から、電子放出率の高い電圧に急峻に上昇させ」た後の「グリッド電圧」がどの程度の電位であって、「上昇させ」た後に、どのように制御するのか、特定されていない点。
（２）判断
　上記相違点について検討する。
ア　技術事項２の「Ｘ線装置」、「ターゲット電流」及び「グリッド制御部１３０」は、それぞれ、本願発明１の「Ｘ線管装置」、「管電流」及び「グリッド電位制御部」に相当する。そして、技術事項２の「ターゲット電流を検出するターゲット電流検出部１３１」は、本願発明１の「管電流を検出する管電流検出部」に相当する。
イ　技術事項２の「ターゲット電流比較部１３２」は、「ターゲット電流を検出するターゲット電流検出部１３１と、ターゲット電流検出部１３１で検出したターゲット電流と電流設定Ｄ／Ａコンバータ２２０から出力された設定電流信号を比較し」、技術事項２の「グリッド制御部１３０」は、「ターゲット電流比較部１３２での比較結果に基づいてグリッド電圧を制御する」ものであり、通常、「ターゲット電流比較部１３２での比較結果」において、「ターゲット電流」が前記目標「ターゲット電流」より大きくなった場合、「グリッド電圧」を低くし、逆に、「ターゲット電流」が前記目標「ターゲット電流」より小さくなった場合、「グリッド電圧」を高くするものであるから、技術事項２の「ターゲット電流を検出するターゲット電流検出部１３１と、ターゲット電流検出部１３１で検出したターゲット電流と電流設定Ｄ／Ａコンバータ２２０から出力された設定電流信号を比較する」「ターゲット電流比較部１３２での比較結果に基づいてグリッド電圧を制御するグリッド電圧制御部１３４」は、本願発明１の「前記管電流検出部が検出した管電流が前記目標管電流より大きくなった場合、前記グリッドの電位を低くし、前記管電流検出部が検出した管電流が目標管電流より小さくなった場合、前記グリッドの電位を高くする制御を行う」「グリッド電位制御部」に相当するといえる。
ウ　そうすると、技術事項２は、上記相違点に係る構成のうち、「前記フィラメントと前記ターゲットとの間に流れている管電流を検出する管電流検出部」を備え、「グリッド電位制御部」は、「前記管電流検出部が検出した管電流が前記目標管電流より大きくなった場合、前記グリッドの電位を低くし、前記管電流検出部が検出した管電流が目標管電流より小さくなった場合、前記グリッドの電位を高くする制御を行う」構成を有しているといえるが、「グリッド電位制御部」が、「前記フィラメントの周囲の電位勾配が前記フィラメントと前記ターゲットとの間の電位勾配が一定である場合における当該電位勾配よりも大きくなる電位に切り替える」ものであって、「前記目標管電流の切り替えに伴って、前記グリッドの電位を、前記フィラメントの周囲の電位勾配が前記フィラメントと前記ターゲットとの間の電位勾配が一定である場合における当該電位勾配よりも大きくなる電位に切り替え」る構成については、記載も示唆もされていない。
エ　そして、「グリッド電位制御部」が、「前記フィラメントの周囲の電位勾配が前記フィラメントと前記ターゲットとの間の電位勾配が一定である場合における当該電位勾配よりも大きくなる電位に切り替える」ものであって、「前記目標管電流の切り替えに伴って、前記グリッドの電位を、前記フィラメントの周囲の電位勾配が前記フィラメントと前記ターゲットとの間の電位勾配が一定である場合における当該電位勾配よりも大きくなる電位に切り替え」る構成は、引用文献３〜６にも記載されていないし、該構成は、当該技術分野において周知の構成であるともいえない。
オ　したがって、本願発明１は、当業者であっても引用発明、引用文献２〜６に記載された技術的事項に基づいて容易に発明できたものであるとはいえない。
２　本願発明２〜１１について
　本願発明２〜１１も、本願発明１の「グリッド電位制御部」が、「前記フィラメントの周囲の電位勾配が前記フィラメントと前記ターゲットとの間の電位勾配が一定である場合における当該電位勾配よりも大きくなる電位に切り替える」ものであって、「前記目標管電流の切り替えに伴って、前記グリッドの電位を、前記フィラメントの周囲の電位勾配が前記フィラメントと前記ターゲットとの間の電位勾配が一定である場合における当該電位勾配よりも大きくなる電位に切り替え」る構成と同一の構成を備えるものであるから、本願発明１と同じ理由により、当業者であっても、引用発明、引用文献２〜６に記載された技術的事項に基づいて容易に発明できたものとはいえない。
第７　原査定についての判断
　令和２年１２月７日付けの補正により、補正後の請求項１〜１１は、「グリッド電位制御部」が、「前記フィラメントの周囲の電位勾配が前記フィラメントと前記ターゲットとの間の電位勾配が一定である場合における当該電位勾配よりも大きくなる電位に切り替える」ものであって、「前記目標管電流の切り替えに伴って、前記グリッドの電位を、前記フィラメントの周囲の電位勾配が前記フィラメントと前記ターゲットとの間の電位勾配が一定である場合における当該電位勾配よりも大きくなる電位に切り替え」る構成という技術的事項を有するものとなった。当該「グリッド電位制御部」が、「前記フィラメントの周囲の電位勾配が前記フィラメントと前記ターゲットとの間の電位勾配が一定である場合における当該電位勾配よりも大きくなる電位に切り替える」ものであって、「前記目標管電流の切り替えに伴って、前記グリッドの電位を、前記フィラメントの周囲の電位勾配が前記フィラメントと前記ターゲットとの間の電位勾配が一定である場合における当該電位勾配よりも大きくなる電位に切り替え」る構成は、原査定における引用文献Ａ〜H（引用文献C、B、D、E、G及びHは、それぞれ、当審拒絶理由における引用文献１〜６）には記載されておらず、本願出願前における周知技術でもないので、本願発明１〜１１は、当業者であっても、原査定における引用文献Ａ〜Hに基づいて容易に発明できたものではない。
　したがって、原査定を維持することはできない。
第８　むすび
　以上のとおり、原査定の理由及び当審の理由によっては、本願を拒絶することはできない。
　また、他に本願を拒絶すべき理由を発見しない。
　よって、結論のとおり審決する。